(57)【特許請求の範囲】
【請求項１】
アクセスポイントのタイプを決定することと、ここで前記タイプは前記アクセスポイントが移動アクセスポイントであるかどうかを示し、
前記アクセスポイントの前記決定されたタイプにしたがって、複数のアクセスポイント識別子空間に分割されているアクセスポイント識別子ドメインからアクセスポイント識別子空間を選択することと、ここにおいて、前記複数のアクセスポイント識別子空間の少なくとも１つは移動アクセスポイントのために割り当てられ、前記複数のアクセスポイント識別子空間の少なくとも別の１つは、静止アクセスポイントのために割り当てられ、
前記アクセスポイントの前記決定されたタイプに基づいてアクセスポイント識別子構成手順を選択することと、ここにおいて、前記アクセスポイント識別子構成手順を選択することは前記アクセスポイントの前記決定されたタイプに基づいて前記アクセスポイントに関する前記アクセスポイント識別子を構成するためのタイミングを決定することを備え、前記タイミングには前記移動アクセスポイントに割り当てられる第１のタイミングと、前記静止アクセスポイントに割り当てられる第２のタイミングとが定義され、前記第１のタイミングはより速い更新頻度であり、前記第２のタイミングはより遅い更新頻度であり、
コンピュータを使用して、前記選択されたアクセスポイント識別子空間および前記選択されたアクセスポイント識別子構成手順に基づいて前記アクセスポイントに関するアクセスポイント識別子を構成することと、ここにおいて、前記構成することは前記タイミングに基づく時刻に前記アクセスポイント識別子を用いて前記アクセスポイントを構成することを備える、
を備える識別子管理方法。
【請求項２】
前記構成することは前記選択されたアクセスポイント識別子構成手順に基づいて前記選択されたアクセスポイント識別子空間から前記アクセスポイントに関する前記アクセスポイント識別子を決定することを備える、請求項１に記載の方法。
【請求項３】
前記構成することは前記アクセスポイント識別子を前記アクセスポイントに送信することを更に備える、請求項１に記載の方法。
【請求項４】
前記複数のアクセスポイント識別子空間は相互に排他的である、請求項１に記載の方法。
【請求項５】
前記構成することは、
前記選択されたアクセスポイント識別子空間から前記アクセスポイントに関する前記アクセスポイント識別子を選択することと、
前記アクセスポイント識別子を用いて前記アクセスポイントを構成することと、
を備える、請求項１に記載の方法。
【請求項６】
移動アクセスポイントと静止アクセスポイントとの間のアクセスポイント識別子衝突を軽減するために、前記アクセスポイント識別子ドメインを前記複数のアクセスポイント識別子空間に分割することを更に備える、請求項１に記載の方法。
【請求項７】
前記アクセスポイント識別子構成手順を選択することは前記アクセスポイントの前記決定されたタイプに基づいて前記アクセスポイントに関する前記アクセスポイント識別子を生成するためのアルゴリズムを選択することを備える、請求項１に記載の方法。
【請求項８】
前記アルゴリズムはハッシュアルゴリズムを備える、請求項７に記載の方法。
【請求項９】
前記構成することは、
前記アルゴリズムを使用して前記アクセスポイントに関する前記アクセスポイント識別子を生成することと、
前記アクセスポイント識別子を用いて前記アクセスポイントを構成することと
を備える、請求項７に記載の方法。
【請求項１０】
前記アクセスポイントに関する前記アクセスポイント識別子は物理セル識別子を備える、請求項１に記載の方法。
【請求項１１】
命令を含むメモリと、
前記メモリに結合された少なくとも１つのプロセッサと
を含む、ネットワーク管理ノードであって、
前記少なくとも１つのプロセッサは、前記命令を実行しているときに、
アクセスポイントのタイプを決定することと、ここで前記タイプは前記アクセスポイントが移動アクセスポイントであるかどうかを示し、
前記アクセスポイントの前記決定されたタイプにしたがって、複数のアクセスポイント識別子空間に分割されているアクセスポイント識別子ドメインからアクセスポイント識別子空間を選択することと、ここにおいて、前記複数のアクセスポイント識別子空間の少なくとも１つは移動アクセスポイントのために割り当てられ、前記複数のアクセスポイント識別子空間の少なくとも別の１つは、静止アクセスポイントのために割り当てられ、
前記アクセスポイントの前記決定されたタイプに基づいてアクセスポイント識別子構成手順を選択することと、ここにおいて、前記アクセスポイント識別子構成手順を選択することは前記アクセスポイントの前記決定されたタイプに基づいて前記アクセスポイントに関する前記アクセスポイント識別子を構成するためのタイミングを決定することを備え、前記タイミングには前記移動アクセスポイントに割り当てられる第１のタイミングと、前記静止アクセスポイントに割り当てられる第２のタイミングとが定義され、前記第１のタイミングはより速い更新頻度であり、前記第２のタイミングはより遅い更新頻度であり、
前記選択されたアクセスポイント識別子空間および前記選択されたアクセスポイント識別子構成手順に基づいて前記アクセスポイントに関するアクセスポイント識別子を構成することと、ここにおいて、前記構成することは前記タイミングに基づく時刻に前記アクセスポイント識別子を用いて前記アクセスポイントを構成することを備える、
を行うように構成されている、ネットワーク管理ノード。
【請求項１２】
命令を含むメモリと、
前記メモリに結合された少なくとも１つのプロセッサと
を含む、アクセスポイントであって、
前記少なくとも１つのプロセッサは、前記命令を実行しているときに、
前記アクセスポイントのタイプを決定することと、ここで前記タイプは前記アクセスポイントが移動アクセスポイントであるかどうかを示し、
前記アクセスポイントの前記決定されたタイプにしたがって、複数のアクセスポイント識別子空間に分割されているアクセスポイント識別子ドメインからアクセスポイント識別子空間を選択することと、ここにおいて、前記複数のアクセスポイント識別子空間の少なくとも１つは移動アクセスポイントのために割り当てられ、前記複数のアクセスポイント識別子空間の少なくとも別の１つは、静止アクセスポイントのために割り当てられ、
前記アクセスポイントの前記決定されたタイプに基づいてアクセスポイント識別子構成手順を選択することと、ここにおいて、前記アクセスポイント識別子構成手順を選択することは前記アクセスポイントの前記決定されたタイプに基づいて前記アクセスポイントに関する前記アクセスポイント識別子を構成するためのタイミングを決定することを備え、前記タイミングには前記移動アクセスポイントに割り当てられる第１のタイミングと、前記静止アクセスポイントに割り当てられる第２のタイミングとが定義され、前記第１のタイミングはより速い更新頻度であり、前記第２のタイミングはより遅い更新頻度であり、
前記選択されたアクセスポイント識別子空間および前記選択されたアクセスポイント識別子構成手順に基づいて前記アクセスポイントに関するアクセスポイント識別子を構成することと、ここにおいて、前記構成することは前記タイミングに基づく時刻に前記アクセスポイント識別子を用いて前記アクセスポイントを構成することを備える、
を行うように構成されている、アクセスポイント。
【請求項１３】
アクセスポイントのタイプを決定するように構成されたアクセスポイントタイプコンポーネントと、ここで前記タイプは前記アクセスポイントが移動アクセスポイントであるかどうかを示し、
前記アクセスポイントの前記決定されたタイプにしたがって、複数のアクセスポイント識別子空間に分割されているアクセスポイント識別子ドメインからアクセスポイント識別子空間を選択するように構成された識別子空間コンポーネントと、ここにおいて、前記複数のアクセスポイント識別子空間の少なくとも１つは移動アクセスポイントのために割り当てられ、前記複数のアクセスポイント識別子空間の少なくとも別の１つは、静止アクセスポイントのために割り当てられ、
前記アクセスポイントの前記決定されたタイプに基づいてアクセスポイント識別子構成手順を選択するように構成された構成手順コンポーネントと、ここにおいて、前記構成手順コンポーネントは前記アクセスポイントの前記決定されたタイプに基づいて前記アクセスポイントに関する前記アクセスポイント識別子を構成するためのタイミングを決定するように更に構成され、前記タイミングには前記移動アクセスポイントに割り当てられる第１のタイミングと、前記静止アクセスポイントに割り当てられる第２のタイミングとが定義され、前記第１のタイミングはより速い更新頻度であり、前記第２のタイミングはより遅い更新頻度であり、
前記選択されたアクセスポイント識別子空間および前記選択されたアクセスポイント識別子構成手順に基づいて前記アクセスポイントに関するアクセスポイント識別子を構成するように構成された識別子構成コントローラと、ここにおいて、前記構成手順コンポーネントは前記タイミングに基づく時刻に前記アクセスポイント識別子を用いて前記アクセスポイントを構成するように更に構成される、
を備える識別子管理装置。
【請求項１４】
前記識別子構成コントローラは前記選択されたアクセスポイント識別子構成手順に基づいて前記選択されたアクセスポイント識別子空間から前記アクセスポイントに関する前記アクセスポイント識別子を決定するように更に構成される、請求項１３に記載の装置。
【請求項１５】
前記識別子構成コントローラは前記アクセスポイント識別子を前記アクセスポイントに送信するように更に構成される、請求項１４に記載の装置。
【請求項１６】
前記複数のアクセスポイント識別子空間は相互に排他的である、請求項１３に記載の装置。
【請求項１７】
前記識別子構成コントローラは、
前記選択されたアクセスポイント識別子空間から前記アクセスポイントに関する前記アクセスポイント識別子を選択することと、
前記アクセスポイント識別子を用いて前記アクセスポイントを構成することと、を行うように更に構成される、請求項１３に記載の装置。
【請求項１８】
前記識別子空間コンポーネントは、移動アクセスポイントと静止アクセスポイントとの間のアクセスポイント識別子衝突を軽減するために、前記アクセスポイント識別子ドメインを前記複数の識別子空間に分割するように更に構成される、請求項１３に記載の装置。
【請求項１９】
前記構成手順コンポーネントは前記アクセスポイントの前記決定されたタイプに基づいて前記アクセスポイントに関する前記アクセスポイント識別子を生成するためのアルゴリズムを選択するように更に構成される、請求項１３に記載の装置。
【請求項２０】
前記識別子構成コントローラは、
前記アルゴリズムを使用して前記アクセスポイントに関する前記アクセスポイント識別子を生成することと、
前記アクセスポイント識別子を用いて前記アクセスポイントを構成することと、
を行うように更に構成される、請求項１９に記載の装置。
【請求項２１】
アクセスポイントのタイプを決定するための手段と、ここで前記タイプは前記アクセスポイントが移動アクセスポイントであるかどうかを示し、
前記アクセスポイントの前記決定されたタイプにしたがって、複数のアクセスポイント識別子空間に分割されているアクセスポイント識別子ドメインからアクセスポイント識別子空間を選択するための手段と、ここにおいて、前記複数のアクセスポイント識別子空間の少なくとも１つは移動アクセスポイントのために割り当てられ、前記複数のアクセスポイント識別子空間の少なくとも別の１つは、静止アクセスポイントのために割り当てられ、
前記アクセスポイントの前記決定されたタイプに基づいてアクセスポイント識別子構成手順を選択するための手段と、ここにおいて、前記アクセスポイント識別子構成手順を選択することは前記アクセスポイントの前記決定されたタイプに基づいて前記アクセスポイントに関する前記アクセスポイント識別子を構成するためのタイミングを決定することを備え、前記タイミングには前記移動アクセスポイントに割り当てられる第１のタイミングと、前記静止アクセスポイントに割り当てられる第２のタイミングとが定義され、前記第１のタイミングはより速い更新頻度であり、前記第２のタイミングはより遅い更新頻度であり、
前記選択されたアクセスポイント識別子空間および前記選択されたアクセスポイント識別子構成手順に基づいて前記アクセスポイントに関するアクセスポイント識別子を構成するための手段と、ここにおいて、前記構成することは前記タイミングに基づく時刻に前記アクセスポイント識別子を用いて前記アクセスポイントを構成することを備える、
を備える識別子管理装置。
【請求項２２】
前記構成することは前記選択されたアクセスポイント識別子構成手順に基づいて前記選択されたアクセスポイント識別子空間から前記アクセスポイントに関する前記アクセスポイント識別子を決定することを備える、請求項２１に記載の装置。
【請求項２３】
前記構成することは前記アクセスポイント識別子を前記アクセスポイントに送信することを更に備える、請求項２２に記載の装置。
【請求項２４】
前記複数のアクセスポイント識別子空間は相互に排他的である、請求項２１に記載の装置。
【請求項２５】
前記構成することは、
前記選択されたアクセスポイント識別子空間から前記アクセスポイントに関する前記アクセスポイント識別子を選択することと、
前記アクセスポイント識別子を用いて前記アクセスポイントを構成することと、
を備える、請求項２１に記載の装置。
【請求項２６】
移動アクセスポイントと静止アクセスポイントとの間のアクセスポイント識別子衝突を軽減するために、前記アクセスポイント識別子ドメインを前記複数の識別子空間に分割するための手段を更に備える、請求項２１に記載の装置。
【請求項２７】
前記アクセスポイント識別子構成手順を選択することは前記アクセスポイントの前記決定されたタイプに基づいて前記アクセスポイントに関する前記アクセスポイント識別子を生成するためのアルゴリズムを選択することを備える、請求項２１に記載の装置。
【請求項２８】
前記構成することは、
前記アルゴリズムを使用して前記アクセスポイントに関する前記アクセスポイント識別子を生成することと、
前記アクセスポイント識別子を用いて前記アクセスポイントを構成することと、
を備える、請求項２７に記載の装置。
【請求項２９】
アクセスポイントのタイプを決定することと、ここで前記タイプは前記アクセスポイントが移動アクセスポイントであるかどうかを示し、
前記アクセスポイントの前記決定されたタイプにしたがって、複数のアクセスポイント識別子空間に分割されているアクセスポイント識別子ドメインからアクセスポイント識別子空間を選択することと、ここにおいて、前記複数のアクセスポイント識別子空間の少なくとも１つは移動アクセスポイントのために割り当てられ、前記複数のアクセスポイント識別子空間の少なくとも別の１つは、静止アクセスポイントのために割り当てられ、
前記アクセスポイントの前記決定されたタイプに基づいてアクセスポイント識別子構成手順を選択することと、ここにおいて、前記アクセスポイント識別子構成手順を選択することは前記アクセスポイントの前記決定されたタイプに基づいて前記アクセスポイントに関する前記アクセスポイント識別子を構成するためのタイミングを決定することを備え、前記タイミングには前記移動アクセスポイントに割り当てられる第１のタイミングと、前記静止アクセスポイントに割り当てられる第２のタイミングとが定義され、前記第１のタイミングはより速い更新頻度であり、前記第２のタイミングはより遅い更新頻度であり、
前記選択されたアクセスポイント識別子空間および前記選択されたアクセスポイント識別子構成手順に基づいて前記アクセスポイントに関するアクセスポイント識別子を構成することと、ここにおいて、前記構成することは前記タイミングに基づく時刻に前記アクセスポイント識別子を用いて前記アクセスポイントを構成することを備える、をコンピュータに実行させるためのコードを備えるコンピュータ可読記憶媒体。
【請求項３０】
前記複数のアクセスポイント識別子空間は相互に排他的である、請求項２９に記載のコンピュータ可読記憶媒体。
【請求項３１】
前記構成することは、
前記識別された識別子空間から前記アクセスポイントに関する前記アクセスポイント識別子を選択することと、
前記アクセスポイント識別子を用いて前記アクセスポイントを構成することと、
を備える、請求項２９に記載のコンピュータ可読記憶媒体。
【請求項３２】
前記コンピュータ可読記憶媒体は、
移動アクセスポイントと静止アクセスポイントとの間のアクセスポイント識別子衝突を軽減するために、前記アクセスポイント識別子ドメインを前記複数の識別子空間に分割することをコンピュータに実行させるためのコードを更に備える、請求項２９に記載のコンピュータ可読記憶媒体。
【請求項３３】
前記アクセスポイント識別子構成手順を選択することは前記アクセスポイントの前記決定されたタイプに基づいて前記アクセスポイントに関する前記アクセスポイント識別子を生成するためのアルゴリズムを選択することを備える、請求項２９に記載のコンピュータ可読記憶媒体。
【請求項３４】
前記構成することは、
前記アルゴリズムを使用して前記アクセスポイントに関する前記アクセスポイント識別子を生成することと、
前記アクセスポイント識別子を用いて前記アクセスポイントを構成することと、
を備える、請求項３３に記載のコンピュータ可読記憶媒体。
【発明の詳細な説明】
【優先権の主張】
【０００１】
本出願は、その開示が参照によって本明細書に組み込まれている２００８年７月１１日に出願され、代理人整理番号０８１９３０Ｐ１を割り当てられた共通で所有された、米国仮特許出願第６１／０８０，０１０号の利益と優先権とを主張する。
【技術分野】
【０００２】
本出願は、一般的には無線通信に関し、より具体的には、しかし排他的ではなく、アクセスポイント識別子構成方式に関する。
【背景技術】
【０００３】
無線通信システムは、音声、データなどといった種々のタイプの通信コンテンツを供給するために広く展開されている。これらのシステムは、利用可能なシステムリソース（例えば帯域幅および送信電力）を共用することによって複数のユーザとの通信をサポートできる多元接続システムであり得る。このような多元接続システムの例は、符号分割多元接続（「ＣＤＭＡ」）システム、時分割多元接続（「ＴＤＭＡ」）システム、周波数分割多元接続（「ＦＤＭＡ」）システム、３ＧＰＰ  Ｌｏｎｇ  Ｔｅｒｍ Ｅｖｏｌｕｔｉｏｎ（「ＬＴＥ」）システム、および直交周波数分割多元接続（「ＯＦＤＭＡ」）システムを含む。
【０００４】
一般に無線多元接続通信システムは、複数の無線アクセス端末（例えばユーザ装置）のための通信を同時にサポートすることができる。各端末は、順方向および逆方向リンク上の伝送を介して１つ以上のアクセスポイント（基地局、ｅＮｏｄｅＢなど）と通信する。順方向リンク（またはダウンリンク）はアクセスポイントからアクセス端末への通信リンクを指し、逆方向リンク（またはアップリンク）はアクセス端末からアクセスポイントへの通信リンクを指す。
【０００５】
システム内の各アクセスポイントは、アクセスポイントとその対応するセル（またはセクタ）とを識別する識別子（例えば物理セル識別子、ＰＣＩＤ）を割り当てられる。ある幾つかの実現形態では識別子は、パイロット擬似ランダム雑音（「ＰＮ」）パターン（またはオフセット）を備える。例えばＰＮパターンは、関連なく見られたときに雑音と見える既知の信号パターンであり得る。したがってアクセスポイントのパイロットＰＮは、アクセスポイントの擬似ランダム雑音パターンであって、アクセス端末と他のアクセスポイントとに対してこのアクセスポイントを識別するために使用され得る。ここでシステム内のアクセス端末は、どのアクセスポイントが領域内にあるかを知るために近隣のアクセスポイントによってブロードキャストされた識別子と、各アクセスポイントとの接続を適切に得るために利用されるシステムパラメータと、を取得する。更にアクセスポイントは、セル間でのアクセス端末のハンドオフを容易にするために近隣のアクセスポイントの識別子を知ることができる。
【０００６】
典型的には所定のシステムにおいて、アクセスポイント識別子の一定量（例えば５０４）が定義される。したがって、従来のネットワーク計画では運用者（アクセスポイントのベンダー(vendor)、ネットワークの管理者など）はコンフリクトまたは衝突を回避するためにアクセスポイントに識別子を慎重に割り当てる。例えばもし１つのアクセス端末の通信範囲内の２つ以上の近隣アクセスポイントまたはアクセスポイントが同一のまたは類似の識別子を所有するならば、衝突が発生する。このような衝突は、チャネル上のかなり大きな干渉という結果をもたらし、サービスの中断という結果を招く可能性がある。これらの衝突を軽減するために識別子は、ネットワークのトポロジ変化に基づいて動的に構成され得る（例えば変化可能であり得る）。しかしながら動的ネットワーク再構成は、関連するサービス中断のためまれにしか実施されないことが好ましい。
【０００７】
静止アクセスポイント（例えば固定位置におけるアクセスポイント）だけを含む状況では識別子は、衝突を最小にする、または衝突を回避するように割り当てられ得る。例えば近隣アクセスポイントは、更新手順によっても衝突が発生しないように識別子を割り当てられ得る。
【０００８】
複数の移動アクセスポイントまたは中継局を含む状況ではネットワーク計画は、困難であり得る。移動アクセスポイントは位置を変える（例えば列車、バス、船、飛行機または他の乗り物で移動する）ので、このアクセスポイントは静止アクセスポイントによってサービスされている種々のマクロセルに遭遇する。移動アクセスポイントの動きは予測不能であり得るので、１つの移動アクセスポイントが類似の識別子を有する１つの静止アクセスポイントに接近した場合、または類似の識別子を有する２つの移動アクセスポイントが互いの範囲内に入った場合に衝突が発生する可能性がある。したがって無線ネットワーク内における衝突を回避するために有効な技法の必要性が存在する。
【発明の概要】
【０００９】
本開示の例示的態様の概要は次の通りである。本明細書での用語「態様」の如何なる参照も本開示の１つ以上の態様を指し得ることは理解されるべきである。
【００１０】
ある幾つかの態様において本開示は、種々のタイプのアクセスポイントのアクセスポイント識別子を構成する（例えば更新する）ための種々の手順を使用することに関連する。例えば１つの手順が移動アクセスポイントに関するアクセスポイント識別子を構成するために使用され得るが、異なる手順が静止アクセスポイントに関するアクセスポイント識別子を構成するために使用され得る。
【００１１】
本明細書での教示にしたがって、種々の構成手順が使用され得る。ある幾つかの態様では種々のタイプのアクセスポイントに関して異なる識別子空間が使用され得る。例えば移動アクセスポイントと静止アクセスポイントとの間の衝突を防止するために、移動アクセスポイントと静止アクセスポイントとのために相互に排他的な識別子空間が割り当てられ得る。ある幾つかの態様では識別子が構成される頻度は、アクセスポイントのタイプに依存し得る。例えば移動アクセスポイントは、静止アクセスポイントより頻繁に更新され得る。ある幾つかの態様では種々のタイプのアクセスポイントに関する識別子を生成するために種々のアルゴリズム（例えばハッシュアルゴリズム）が使用され得る。
【図面の簡単な説明】
【００１２】
本開示のこれらおよび他の例示的態様は、後述の詳細な説明および添付請求項において、および添付の図面において説明される。
【図１】種々のタイプのアクセスポイントの識別子を構成するために種々の手順が使用される通信システムの幾つかの例示的態様の単純化されたブロック図を示す図である。
【図２】種々のタイプのアクセスポイントの識別子を構成するために種々の手順を使用することに関連して実行され得る動作の幾つかの例示的態様の流れ図である。
【図３】識別子を構成することに関連して通信ノードにおいて使用され得るコンポーネントの幾つかの例示的態様の単純化されたブロック図である。
【図４】種々のタイプのアクセスポイントに関して種々の識別子空間を使用することに関連して実行され得る動作の幾つかの例示的態様の流れ図である。
【図５】識別子を構成するためのタイミングがアクセスポイントのタイプに依存する、実行され得る動作の幾つかの例示的態様の流れ図である。
【図６】種々のタイプのアクセスポイントに関する識別子を生成するために種々のアルゴリズムが使用される、実行され得る動作の幾つかの例示的態様の流れ図である。
【図７】例示的無線通信システムの単純化された図である。
【図８】通信コンポーネントの幾つかの例示的態様の単純化されたブロック図である。
【図９】本明細書で教示されるようなアクセスポイント識別子を構成するために構成された装置の幾つかの例示的態様の単純化されたブロック図である。
【００１３】
一般的なプラクティスに従って、これらの図面に示された種々の機能要素は原寸に比例して描かれていない可能性がある。したがって種々の機能要素の寸法は、明確にするために任意に拡大または縮小されている可能性がある。更にこれらの図面の一部は、明確にするために単純化されている可能性がある。このようにこれらの図面は、所定の装置（例えばデバイス）または方法のコンポーネントのすべてを描いていない可能性がある。最後に本明細書および図面全体を通して同様な機能要素を示すために同様な参照符号が使用されている可能性がある。
【発明を実施するための形態】
【００１４】
本開示の種々の態様は下記に説明される。本明細書での教示が幅広い種々の形で具体化され得ること、および本明細書で開示される如何なる特定の構造、機能またはこれら両者も単に代表的なものであることは、明らかであるべきである。本明細書での教示に基づいて、本明細書で開示された態様が他の如何なる態様からも独立して実現され得ること、およびこれらの態様の２つ以上が種々の方法で組み合され得ることは当業者には明らかである。例えば本明細書で説明される如何なる数の態様を使用しても、装置は実現され、あるいは方法は実行されることが可能である。更に本明細書で説明される態様の１つ以上に加えて、またはこれらの態様の１つ以上とは別に他の構造、または機能性、または構造および機能性を使用して、このような装置が実現され、またはこのような方法が実行され得る。更にある態様は、ある請求項の少なくとも１つの要素を備え得る。
【００１５】
図１は、例示的通信システム１００（例えばある通信ネットワークの一部分）における幾つかのノードを示す。説明目的で本開示の種々の態様は、互いに通信する１つ以上のアクセス端末、アクセスポイントおよびネットワークノードに関連して説明される。しかしながら本明細書での教示が他の用語を使用して参照される他のタイプの装置、または他の類似の装置に適用可能であり得ることは理解されたい。例えば種々の実現形態において、アクセスポイントは基地局またはｅＮｏｄｅＢとして呼ばれ得る、または実現され得る、そしてアクセス端末はユーザ装置または移動局として呼ばれ得る、または実現され得る、以下同様である。
【００１６】
システム１００におけるアクセスポイント（例えばアクセスポイント１０２および１０４）は、アクセスポイントのカバレージエリア内に設置され得る、またはカバレージエリア中を動き回り得る１つ以上の無線端末（例えばアクセス端末１０６および１０８）のために１つ以上のサービス（例えばネットワーク接続性）を提供する。例えば種々の時点でアクセス端末１０６は、アクセスポイント１０２またはアクセスポイント１０４に接続できる。アクセスポイント１０２および１０６の各々は、広域ネットワーク接続性を容易にするために１つ以上のネットワークノード（便宜上、ネットワーク管理ノード１１０で表されている）と通信できる。ネットワークノードは、例えば１つ以上の無線および／またはコア・ネットワークエンティティ（例えば運用、管理および保守サーバ、移動性管理エンティティ、または他の何らかの適当なネットワークエンティティ）といった種々の形状を取り得る。
【００１７】
システム１００内の各アクセスポイントは、１つのアクセスポイント識別子を割り当てられ得る。種々の実現形態において、このような識別子は、例えば、セル識別子（例えばＰＣＩＤ）またはパイロットＰＮオフセットを備え得る。システム１００内の識別子の数は限定され得るので、同じ近傍内の複数のアクセスポイントが同じ識別子を使用すると識別子衝突が発生する可能性がある。上記に論じられたようにこのような衝突は、システム１００が移動アクセスポイント（例えばアクセスポイント１０２）を含む場合には軽減することがより困難である可能性がある。
【００１８】
ある幾つかの態様では移動アクセスポイントは、通常の動作の途中で動かされ得るアクセスポイントとして定義される。すなわちアクセスポイントは、これが１つの場所から別の場所に動いているとき、および／または動かされているときに動作させられるように意図されている。ここで移動アクセスポイントは、これが動かされているときに動作状態に留まり得る。したがって移動アクセスポイントは、切り離されて新しい場所に移動させられ、それから再起動されるアクセスポイントからは区別され得る。
【００１９】
ある幾つかの態様では移動アクセスポイントは、無線バックホールをサポートするアクセスポイントとして定義される。例えば移動アクセスポイントは、ネットワーク（例えばネットワークノード、別のアクセスポイントなど）への、およびネットワークからのバックホール通信（および／または他の通信）を送信および受信するための無線トランシーバと関連アンテナとを含み得る。
【００２０】
システム１００は、識別子衝突の可能性を低減する方法でシステム内のアクセスポイントによって使用される識別子を構成するアクセスポイント識別子マネージャを使用する。識別子構成が中心的に管理される場合には、ノード１１０に配備されたアクセスポイント識別子マネージャ１１２は、１セットのアクセスポイント（例えばノード１１０によって管理されたアクセスポイント）によって使用される識別子を構成できる。このためにアクセスポイント・マネージャ１１２は、システム１００内のアクセスポイント（例えばそれぞれアクセスポイント１０２および１０４）に配備されたアクセスポイント・マネージャ（マネージャ１１４および１１６、例えばセル識別子更新器(updater)）と協同動作し得る。例えばマネージャ１１２は、アクセスポイント１０２に関する識別子を選択してこの選択された識別子をマネージャ１１４に送信でき、それによってマネージャ１１４は、アクセスポイント１０２が新しい識別子をブロードキャストするようにアクセスポイント１０２の識別子を更新する。識別子構成が少なくとも一部分散した方法で管理されている場合には、マネージャ（例えばマネージャ１１４および１１６）は識別子を選択し、構成する際に大きな役割を演じ得る。これらの場合に各マネージャ１１４および１１６は、マネージャが移動アクセスポイントまたは静止アクセスポイントに関連しているかどうかに依存して種々の構成手順を使用し得る。
【００２１】
システム１００は、同じ近傍内の複数のアクセスポイントが同じ識別子を使用する可能性を減らすために種々のタイプのアクセスポイントに関して種々の識別子構成（例えば更新）手順を使用する。例えばアクセスポイント識別子マネージャ１１２は、移動アクセスポイントに関する識別子を構成するときに移動アクセスポイント手順１１８を使用でき、そして静止アクセスポイントに関する識別子を構成するときに静止アクセスポイント手順１２０を使用できる。これらの構成手順は、種々の実現形態において種々の形を取り得る。例えばある幾つかの場合には、種々のタイプのアクセスポイントのために種々の識別子空間が割り当てられる。ある幾つかの場合には１つのタイプのアクセスポイントに関連する識別子は、１つのタイプのアクセスポイントに関連する識別子より頻繁に構成され得る。ある幾つかの場合に、種々のタイプのアクセスポイントに関する識別子を生成するために種々のアルゴリズムが使用され得る。これらの技法は、図４〜６で下記に詳細に説明される。
【００２２】
本明細書で教示される識別子管理動作は、種々のノードによって実行され得る。またこれらの動作は、単一ノードによって、複数のノードによって独立して、または複数のノードによって協同して実行され得る。ある幾つかの場合にこれらの動作は、中央に集中された(centralized)ノード（例えば１セットのアクセスポイントによって使用される識別子を管理する）によって実行され得る。例えば図１においてノード１１０（例えば識別子マネージャ１１２）は、どの識別子がアクセスポイント１０２および１０４によって使用されるかを制御できる。ある幾つかの場合に識別子マネージャ１１２は、どの識別子が使用されるべきであるかを決定するために識別子マネージャ１１４および１１６と協同動作できる。例えば、識別子マネージャ１１４および１１６は、これらの識別子または他のアクセスポイントの識別子を構成するために使用され得るこれらが所有する如何なる情報も識別子マネージャ１１２に送信することができる。ある幾つかの場合（例えば分散システムの場合）に各アクセスポイントにおける識別子マネージャは、本明細書で教示される識別子管理動作を独立して実行し得る。例えば識別子マネージャ１１４は、アクセスポイント１０２に関する識別子を構成するかどうかを、識別子を構成するときを、および識別子を構成する方法を独立して決定できる。同様に識別子マネージャ１１６は、アクセスポイント１０４に関する識別子を構成するかどうかを、識別子を構成するときを、および識別子を構成する方法を、独立して決定できる。したがって本明細書で教示される識別子動作がシステム内の１つ以上のノード（例えばネットワークノード、アクセスポイントなど）において実行され得ることは理解されたい。
【００２３】
システム１００の例示的動作は、これから図２の流れ図と図３に示された例示的コンポーネントとに関連してより詳細に説明される。便宜上、図２の動作（本明細書で論じられたか、教示された他の任意の動作）は、特定のコンポーネント（例えばシステム１００の、および／または図３に示されたコンポーネント）によって実行されるものとして説明され得る。しかしながら、これらの動作が他のタイプのコンポーネントによって実行され得る、および異なる数のコンポーネントを使用して実行され得ることは理解されたい。また本明細書で説明された動作の１つ以上が所定の実現形態では使用されない可能性があることも理解されたい。
【００２４】
図３は、本明細書で教示される識別子構成動作を実行するためにネットワーク管理ノード１１０およびアクセスポイント１０２といったノードに組み込まれ得る幾つかの例示的コンポーネントを示す。図３に示されたコンポーネントはまた、通信システム内の他のノード（例えばネットワークノードまたはアクセスポイント）に組み込まれ得る。例えばシステム内の他のネットワークノードは、類似の機能性を与えるためにネットワーク管理ノード１１０に関して説明されたこれらのコンポーネントに類似したコンポーネントを含み得る。更にシステム内の他のアクセスポイント（例えばアクセスポイント１０４）は、類似の機能を与えるためにアクセスポイント１０２に関して説明されたこれらのコンポーネントに類似したコンポーネントを含み得る。所定のノードは、上記のコンポーネントの１つ以上を含み得る。例えばクライアントは、このクライアントが異なる技術を介して通信すること、および／または、複数の周波数上で動作することを可能にする複数のトランシーバコンポーネントを包含し得る。
【００２５】
図３に示されているようにネットワーク管理ノード１１０およびアクセスポイント１０２はそれぞれ、他のノードと通信するためのトランシーバ３０２および３０４を含み得る。トランシーバ３０２は、信号（例えば識別子構成関連のメッセージ）を送信するための送信器３０６と信号を受信するための受信器３０８とを含む。同様にトランシーバ３０４は、信号を送信するための送信器３１０と信号を受信するための受信器３１２とを含む。
【００２６】
図３のノードの接続性に依存して、トランシーバ３０２および／またはトランシーバ３０４は、種々の通信技術をサポートできる。例えばトランシーバは、有線リンクおよび／または無線リンクを介して通信を可能にし得る。
【００２７】
ある幾つかの場合にネットワーク管理ノード１１０は、静止アクセスポイント（例えばアクセスポイント１０４）と通信するために（例えばバックホール通信のために）有線通信技術をサポートできる。これらの場合、これらのノードの各々におけるトランシーバは、有線リンク上での通信をサポートできる。
【００２８】
上記のように、移動アクセスポイント（例えばアクセスポイント１０２）は、無線リンクを経由した１つ以上のノードとのバックホール通信のための無線トランシーバを備え得る。ある幾つかの場合にネットワーク管理ノード１１０は、移動アクセスポイントと通信するための（例えばバックホール通信のための）無線通信技術を含み得る。このような場合にネットワーク管理ノード１１０は、無線トランシーバと関連アンテナとを備え得る。代替としてネットワーク管理ノード１１０は、今度は無線リンクを介して移動アクセスポイントと通信する別のノード（例えばアクセスポイント）と有線リンクを介して通信することができる。
【００２９】
ネットワーク管理ノード１１０およびアクセスポイント１０２はまた、本明細書で教示される識別子構成動作と関連して使用され得る他のコンポーネントも含む。例えばネットワーク管理ノード１１０およびアクセスポイント１０２は、他のノードとの通信を管理する（例えば識別子構成関連情報を送信および受信する）ための、および本明細書で教示される他の関連機能性を提供するための通信コントローラ３１４および３１６をそれぞれ含み得る。更に、ネットワーク管理ノード１１０およびアクセスポイント１０２は、本明細書で論じられたようにアクセスポイント識別子を管理する（例えば定義および更新する）ための、および本明細書で教示される他の関連機能性を提供するための識別子マネージャ１１２および１１４をそれぞれ含み得る。機能ブロック３１８〜３２４に関連する動作は下記に説明される。便宜上、識別子マネージャ１１４は、機能ブロック３１８〜３２４を含むようには示されていない。しかしながら上記のように、ある幾つかの実現形態では、これらのブロックの動作の１つ以上は、あるアクセスポイントによって実行され得る。
【００３０】
今度は図２を参照するとブロック２０２によって表されているように、ある時点で所定のアクセスポイントに関するアクセスポイント識別子が構成される必要があるかどうかに関する決定が行われる。例えば最初の識別子は、アクセスポイントが起動された（アクセスポイントがオンラインになった）ことを検出したときにこのアクセスポイントに割り当てられ得る。更にアクセスポイントに割り当てられた識別子は、アクセスポイントに現在割り当てられている識別子が衝突または混乱にさらされている可能性がある（例えば近隣の別のアクセスポイントが同じ識別子を使用している、または使用している可能性が高い）ことが決定された場合に更新され得る。またアクセスポイントに割り当てられた識別子は、識別子のブロードキャストに関連した干渉（例えばパイロット干渉）（例えば類似の識別子をブロードキャストする２つの近隣アクセスポイントから結果的に生じる干渉）が検出された場合に更新され得る。
【００３１】
上記のような構成トリガーは、種々の方法で検出され得る。ある幾つかの場合にはトリガーは、バックホール通信を介して（例えば使用されている、または使用され得る識別子、衝突の検出、混乱の検出、干渉の検出などに関する近隣アクセスポイントからの情報を受信することによって）検出され得る。ある幾つかの場合にはトリガーは、１つ以上のアクセス端末から受信された通信（例えばアクセス端末によって見られた混乱、干渉または識別子）に基づいて検出され得る。ある幾つかの場合にはトリガーは、ブロック２０２で決定を行っているノードによって受信された無線信号（例えばパイロット）に基づいて検出され得る。ある幾つかの場合にはトリガーは、タイミング（例えばある識別子がある時刻に構成される）に基づき得る。ある幾つかの場合にはトリガーは、１つ以上のアクセスポイントの位置に基づき得る。例えば識別子は、１つのアクセスポイント、または複数のアクセスポイントがある幾つかの位置（例えば地理的位置またはもう１つのエンティティとの相対的距離）において検出された場合に再構成され得る。ここで位置情報は、タイミング情報に結び付けられ得る（例えばアクセスポイントは、ある時刻にある位置で検出される）。
【００３２】
上記のようにブロック２０２の動作は、種々のノードによって（例えば独立して、または協同して）実行され得る。例えばある幾つかの場合にはノード１１０（例えば識別子マネージャ１１２）は、アクセスポイント１０２および１０４によって使用される識別子が構成されるべきであるかどうかを決定できる。ある幾つかの場合には、各アクセスポイントにおける識別子マネージャは、それらのそれぞれの識別子が構成される必要があるかどうかを決定できる。
【００３３】
図２のブロック２０４によって表されているように、あるアクセスポイントに関する識別子が構成されるべきである場合には、このアクセスポイントのタイプが決定される（例えば図３に示されているような識別子マネージャのアクセスポイントタイプ決定器(determiner)３１８の動作によって）。ここでこのタイプは、例えばこのアクセスポイントが移動アクセスポイントであるか、静止アクセスポイントであるか、または他の何らかのタイプのアクセスポイントであるかどうかを示し得る。上記のようにブロック２０４の動作は、システム内の種々のノード（例えばネットワークノードおよび／またはアクセスポイント）によって実行され得る。例えばネットワークノードは所定のアクセスポイントのタイプを決定でき、あるいはアクセスポイントはそのタイプを決定してこの決定の指示を生成し得る（例えばこの指示をネットワークノードに送信できる）。
【００３４】
ブロック２０６によって表されているように、アクセスポイント識別子構成手順は、決定されたアクセスポイントタイプに基づいて選択される（例えば識別子マネージャの構成手順セレクタ３２０の動作によって）。図４に関連して下記により詳細に説明されるように手順を選択することは、例えば所定のタイプのアクセスポイントを構成するために使用されるべき幾つかの異なる識別子空間（種々のタイプのアクセスポイントに関して定義された）の少なくとも１つを選択することに関連し得る。図５に関連して下記により詳細に説明されるように、手順を選択することは、例えば所定のタイプのアクセスポイントを構成するために幾つかの異なるタイミング（異なるアクセスポイントに関連する）から１つのタイミングを選択することに関連し得る。図６に関連して下記により詳細に説明されるように、手順を選択することは、例えば所定のタイプのアクセスポイントに関する識別子を生成するために幾つかの異なるアルゴリズム（異なるタイプのアクセスポイントに関連する）のうちのどのアルゴリズムが使用されるべきであるかを決定することに関連し得る。上記のようにブロック２０６の動作は、システム内の種々のノード（例えばネットワークノードおよび／またはアクセスポイント）によって実行され得る。
【００３５】
ブロック２０８によって表されているように、アクセスポイントはそれから、ブロック２０６で選択された構成手順に基づいて、識別子を用いて構成される（例えば識別子マネージャの識別子構成コントローラ３２２の動作によって）。下記により詳細に論じられるようにある幾つかの態様ではこれは、例えばアクセスポイントに割り当てられるべき識別子を決定すること（例えば選択すること、生成すること、など）、アクセスポイントにおいて識別子を更新すること、またはある特定の時刻に構成を実行すること、のうちの１つ以上を含み得る。更にある幾つかの場合に（例えば識別子がネットワークノードによって決定されたときに）ブロック２０８の動作はまた、決定された識別子をアクセスポイントに送信することを含み得る。
【００３６】
上記のように本明細書での教示にしたがって、種々のタイプの構成手順が使用され得る。図４〜６を参照しながら、幾つかの例示的手順がより詳細に説明される。
【００３７】
図４は、種々のタイプのアクセスポイントに関して種々の識別子空間を使用するアクセスポイント識別子構成手順に関連する。ここで、あるシステムに関してアクセスポイント識別子ドメイン(domain)が定義され得る（例えばシステム内のアクセスポイントによる使用のために利用可能である１セットの５０４個の識別子）。ブロック４０２によって表されているように、識別子ドメインは複数の異なる識別子空間（例えば相互に排他的であり得る、または部分的にオーバーラップし得る）に分割される（例えばセグメント化される）。例えば１つの識別子空間（例えば１０個または５０個の識別子を備える）は１つのタイプのアクセスポイント（例えば移動アクセスポイント）のために割り当てられ得るが、別の識別子空間（例えばこのドメインの残りの識別子を備える）は別のタイプのアクセスポイント（例えば静止アクセスポイント）のために割り当てられ得る。ある幾つかの場合には、アクセスポイントのために１つより多い識別子空間が割り当てられ得る。このような方法で、これらのアクセスポイント間の衝突の可能性を低減するために同じタイプの複数の異なるアクセスポイントには、複数の異なる識別子空間からの識別子を割り当てられ得る。
【００３８】
ドメインの定義および分割は、種々の方法で達成され得る。ある幾つかの場合には、これらのパラメータはネットワークに関して静的に定義され得る（例えばネットワーク運用者によって）。ある幾つかの場合には、これらのパラメータは動的に定義され得る。例えばシステム内のノード（例えばノード１１０の識別子空間定義器(definer)３２４）は、ネットワークにおける状態（例えば衝突、干渉などの検出または予測された増加または減少）に基づいてドメインを分割し得る。ある特定の例として、もし移動アクセスポイント間には多数の衝突が発生しているが、移動アクセスポイントと静止アクセスポイントとの間には比較的少ない衝突が発生しているか、あるいは衝突がまったく発生していないのであれば、移動アクセスポイントに割り当てられる識別子空間のサイズは増やされ得る。ある幾つかの態様では移動アクセスポイントに関する識別子空間は、衝突の確率が静止アクセスポイントと比較してより低くなるようにサイズ決めされ得る（例えば移動アクセスポイントが衝突する移動アクセスポイントに遭遇する、より高い可能性を持ち得るという理由で）。
【００３９】
図４のブロック４０４によって表されているように、ある時点でアクセスポイントは構成される必要があるという決定が行われ得る。この場合、アクセスポイントのタイプが決定され得る（ブロック４０６）。このようにブロック４０４および４０６の動作は、上記に論じられたブロック２０２および２０４の動作に対応し得る。
【００４０】
ブロック４０８に表されているように、識別子空間は決定されたタイプに基づいて識別される。例えばもし構成されるべきアクセスポイントが移動アクセスポイントであれば、移動アクセスポイントに割り当てられた少なくとも１つの識別子空間はここで識別され得る。
【００４１】
ブロック４１０によって表されているように、それから識別子は識別された識別子空間から選択される。ここで、選択された識別子が混乱をこうむる可能性を低減するための対策が取られ得る。例えば可能であれば、他の如何なるアクセスポイントによっても使用されていない識別子が選択される。ある幾つかの場合には、移動アクセスポイントの期待される位置がここで考慮され得る（例えば移動アクセスポイントが既知の、または予期された経路を有する乗り物に配置された場合に）。更にある幾つかの場合には、移動アクセスポイントがある幾つかの位置で動作していると期待される時刻が考慮され得る。このような方法で、アクセスポイント（例えば移動および／または静止アクセスポイント）が同時に互いの近傍で動作しているかどうかに関する決定が行われ得る。
【００４２】
ある幾つかの態様では、識別子の選択は、本明細書で教示されるもう１つの基準または他の複数の基準に基づく可能性がある。例えばブロック４１０で得られた識別子は、図６で説明されるように選択されたアルゴリズムを使用して生成され得る。
【００４３】
ブロック４１２によって表されているように、次にアクセスポイントはブロック４１０で選択された識別子を用いて構成される。ある幾つかの態様では、ブロック４１２の動作は、上記に論じられたブロック２０８の動作に対応し得る。また識別子を構成することは、本明細書で教示されるもう１つの基準または他の複数の基準に基づく可能性がある。例えばアクセスポイントが構成された時刻は、図５で説明されるように決定されたタイミングに基づき得る。
【００４４】
図５は、種々の時刻に種々のタイプのアクセスポイントを構成するアクセスポイント識別子構成手順に関連する。ブロック５０２によって表されているように、システム内の異なるタイプのノードに関して異なる構成タイミングが定義され得る。例えば１つのタイプのアクセスポイント（例えば移動アクセスポイント）には１つのタイミング（例えばより速い更新頻度）が割り当てられ得るが、もう１つのタイプのアクセスポイント（たとえば静止アクセスポイント）には別のタイミング（例えばより遅い更新頻度）が割り当てられ得る。もう１つの例として、静止アクセスポイント１０４のマネージャ１１６（図１）は長時間のタイムスケールに亘って衝突が回避されるように更新されるために立案され得るが、移動アクセスポイント１０２のマネージャ１１４（図１）はセル移動に起因する増加した衝突のリスクを補うために、より動的に更新し得る。ある幾つかの場合には、１つのアクセスポイントタイプのために１つより多いタイミングが割り当てられ得る。このような方法で、これらのアクセスポイント間の衝突の可能性を低減するために同じタイプの異なるアクセスポイントが異なる時刻に識別子を用いて構成され得る。
【００４５】
識別子構成タイミングの定義は、種々の方法で達成され得る。ある幾つかの場合には、タイミングパラメータはあるネットワークに関して静的に定義され得る（例えばネットワーク運用者によって）。ある幾つかの場合には、タイミングパラメータは動的に定義され得る。例えばシステム内のノード（例えばノード１１０）は、ネットワークにおける状態（例えば衝突、干渉の検出された、または予期された増加または減少）に基づいてタイミングを定義し得る。ある特定の例として、ある幾つかの移動アクセスポイントに関して多数の衝突が発生していれば、これらの移動アクセスポイントが構成される頻度は増加され得る。
【００４６】
ブロック５０４〜５０８によって表されているように、いつアクセスポイントを構成すべきかを決定するプロセスが実行され得る（例えばネットワークノード１１０において）。ある幾つかの実現形態では、これらの動作は、割り込み駆動(interrupt-driven)タイミングに基づき得る。ブロック５０４でアクセスポイントのタイプが決定され得る。このようにブロック５０４の動作は、上記に論じられたブロック２０４の動作に対応し得る。
【００４７】
ブロック５０６では、ブロック５０４で決定されたアクセスポイントタイプに関して識別子構成タイミングが決定される。ある幾つかの場合には、アクセスポイントはスケジュールにしたがって構成され得る。ある特定の例として、あるタイプのアクセスポイントは、ある時刻に（例えばこれらのアクセスポイントが知られるとき、またはあるノードの近傍にある可能性が高いときに）再構成され得る。これとは逆に別のタイプのアクセスポイント（例えば静止アクセスポイント）は、ネットワークの再構成が存在していた場合、またはこのアクセスポイントが電源投入されていた場合にだけ構成され得る。
【００４８】
ブロック５０８および５１０によって表されているように、もしアクセスポイントが構成される必要がなければ、通常の動作が継続できる。例えばノード１１０は、次にノード１１０が１つ以上のアクセスポイントを構成すべきかどうかを決定することになるまで、このノードの標準的動作を実行し続けることができる。
【００４９】
これに対して、ブロック５１２によって表されているようにアクセスポイントは、これがブロック５０６で決定されたタイミングによって指示された場合に構成される。ある幾つかの態様では、ブロック５１２の動作は、上記に論じられたブロック２０８の動作（例えば識別子を決定すること、アクセスポイントにおいて識別子を更新すること、など）に対応し得る。
【００５０】
図６は、種々のタイプのアクセスポイントに関する識別子を生成するために種々のアルゴリズムを使用するアクセスポイント識別子構成手順に関連する。ある幾つかの実現形態では、このようなアルゴリズムは、アクセスポイントの一意(unique)の識別子（例えばグローバルセル識別子、ＧＣＩ）に基づいてアクセスポイントに関する識別子（例えばＰＣＩＤ）を生成できる。ブロック６０２によって表されているように、システム内の異なるタイプのノードのために異なるアルゴリズム（例えばハッシュアルゴリズム）が定義され得る。例えば１つのタイプのアクセスポイント（例えば移動アクセスポイント）には１つのアルゴリズム（例えば所定の一意の識別子を１つの識別子にマッピングし得る）が割り当てられ得るが、別のタイプのアクセスポイント（例えば静止アクセスポイント）には別のアルゴリズム（例えば所定の一意の識別子を異なる識別子にマッピングし得る）が割り当てられ得る。このような方法で、異なるタイプのアクセスポイントに関して異なる識別子が生成され得る。ある幾つかの態様では異なるアルゴリズムは、生成された識別子を異なる識別子空間（例えば図４のような）にマッピングし得る。ある幾つかの場合には、１つのアクセスポイントタイプのために１つより多いアルゴリズムが割り当てられ得る。このような方法で、異なるアルゴリズムによって生成された識別子を用いて同じタイプの異なるアクセスポイントが構成され得る。
【００５１】
ブロック６０４によって表されているように、ある時点でアクセスポイントが構成される必要があるという決定が行われ得る。この場合、アクセスポイントのタイプが決定され得る（ブロック６０６）。このようにブロック６０４および６０６の動作は、上記に論じられたブロック２０２および２０４の動作に対応し得る。
【００５２】
ブロック６０８によって表されているように、決定されたタイプに基づいて識別子を生成するためのアルゴリズムが選択される。次にこのアルゴリズムは、ブロック６１０によって表されたように識別子を生成するために実行される。
【００５３】
ブロック６１２によって表されているようにアクセスポイントは、ブロック６１０で生成された識別子を用いて構成される。ある幾つかの態様では、ブロック６１２の動作は、上記に論じられたブロック２０８の動作に対応し得る。
【００５４】
ある幾つかの態様では、本明細書での教示は、複数の無線アクセス端末（例えばクライアント）のための通信を同時にサポートする無線多元接続通信システムにおいて使用され得る。ここで各端末は、順方向および逆方向リンク上の伝送を介して１つ以上のアクセスポイントと通信できる。順方向リンク（またはダウンリンク）はアクセスポイントから端末への通信リンクを指し、逆方向リンク（またはアップリンク）は端末からアクセスポイントへの通信リンクを指す。
【００５５】
図７は、本明細書での教示が実現され得る複数のユーザをサポートするように構成された無線通信システム７００を示す。システム７００は、対応するアクセスポイント７０４（例えばアクセスポイント７０４Ａ〜７０４Ｇ）によってサービスされている各セルとの、例えばマクロセル７０２Ａ〜７０２Ｇといった、複数のセル７０２のための通信を提供する。図７に示されているようにアクセス端末７０６（例えばアクセス端末７０６Ａ〜７０６Ｌ）は、時間の経過と共にシステム中の種々の位置に分散配置され得る。各アクセス端末７０６は、アクセス端末７０６がアクティブであるかどうか、またアクセス端末７０６が例えばソフトハンドオフ状態にあるかどうかに依存して、所定の時点において順方向リンク（「ＦＬ」）および／または逆方向リンク（「ＲＬ」）上で１つ以上のアクセスポイント７０４と通信できる。無線通信システム７００は、大きな地理的領域に亘ってサービスを提供できる。例えばマクロセル７０２Ａ〜７０２Ｇは、近隣の数ブロックを、または田園環境における数マイルをカバーできる。
【００５６】
これらの通信リンクは、シングルイン・シングルアウト（single-in-single-out）システム、マルチイン・マルチアウト(multiple-in-multiple-out)（「ＭＩＭＯ」）システム、または他の何らかのタイプのシステムを介して確立され得る。ＭＩＭＯシステムは、データ伝送のために複数（ＮＴ個）の送信アンテナと複数（ＮＲ個）の受信アンテナとを使用する。ＮＴ個の送信アンテナとＮＲ個の受信アンテナとによって形成されたＭＩＭＯチャネルは、ＮＳ≦ｍｉｎ｛ＭＴ，ＭＲ｝として、空間チャネルとも呼ばれるＮＳ個の独立チャネルに分解され得る。ＮＳ個の独立チャネルの各々は１つの次元(dimension)に対応する。ＭＩＭＯシステムは、複数の送信アンテナと受信アンテナとによって作り出された更なる次元が利用される場合に、改善された性能（例えばより高いスループットおよび／またはより大きな信頼性）を与え得る。
【００５７】
ＭＩＭＯシステムは、時分割複信（「ＴＤＤ」）と周波数分割複信（「ＦＤＤ」）とをサポートできる。ＴＤＤシステムでは順方向および逆方向リンク伝送は、レシプロシティ(reciprocity)原理が逆方向リンクチャネルから順方向リンクチャネルの推定を可能にするように、同じ周波数領域上に在る。これは、複数のアンテナがアクセスポイントにおいて利用可能であるときにアクセスポイントが順方向リンク上の送信ビーム形成利得を抽出することを可能にする。
【００５８】
本明細書での教示は、少なくとも１つの他のノードと通信するために種々のコンポーネントを使用するノード（例えばデバイス）に組み込まれ得る。図８は、ノード間の通信を容易にするために使用され得る幾つかの例示的コンポーネントを示す。具体的には図８は、ＭＩＭＯシステム８００の無線デバイス８１０（例えばアクセスポイント）と無線デバイス８５０（例えばアクセス端末）とを示す。デバイス８１０ではデータ源８１２から送信（「ＴＸ」）データプロセッサ８１４に、複数のデータストリームに関するトラヒックデータが供給される。
【００５９】
ある幾つかの態様では、各データストリームは、それぞれの送信アンテナを介して送信される。ＴＸデータプロセッサ８１４は、符号化データを供給するために各データストリームに関して選択されたある特定の符号化方式に基づいて、各データストリームに関するトラヒックデータをフォーマットし、符号化し、そしてインタリーブする。
【００６０】
各データストリームに関する符号化データは、ＯＦＤＭ技法を使用してパイロットデータと共に多重化され得る。パイロットデータは典型的には、既知の方法で処理される既知のデータパターンであり、チャネル応答を推定するために受信機システムで使用され得る。各データストリームに関して多重化されたパイロットおよび符号化データは次に、変調シンボルを与えるために各データストリームに関して選択されたある特定の変調方式（例えばＢＰＳＫ、ＱＳＰＫ、Ｍ−ＰＳＫ、またはＭ−ＱＡＭ）に基づいて変調される（例えばシンボルマッピングされる）。各データストリームに関するデータレート、符号化および変調は、プロセッサ８３０によって実行される命令によって決定され得る。データメモリ８３２は、プログラムコードと、データと、プロセッサ８３０によって、またはデバイス８１０の他のコンポーネントによって使用される他の情報と、を記憶できる。
【００６１】
次にすべてのデータストリームに関する変調シンボルは、更に変調シンボル（例えばＯＦＤＭに関する）を処理し得るＴＸ  ＭＩＭＯプロセッサ８２０に供給される。それからＴＸ  ＭＩＭＯプロセッサ８２０は、ＮＴ個の変調シンボルストリームをＮＴ個のトランシーバ（「ＸＣＶＲ」）８２２Ａ〜８２２Ｔに供給する。ある幾つかの態様では、ＴＸ  ＭＩＭＯプロセッサ８２０は、データストリームのシンボルとシンボルが送信されているアンテナとにビーム形成重みを加える。
【００６２】
各トランシーバ８２２は、１つ以上のアナログ信号を与えるためにそれぞれのシンボルストリームを受信して処理し、ＭＩＭＯチャネル上での伝送のために適した変調信号を与えるためにこれらのアナログ信号を更に調整する（例えば増幅し、フィルタリングし、そしてアップコンバートする）。次にトランシーバ８２２Ａ〜８２２ＴからのＮＴ個の変調信号は、それぞれＮＴ個のアンテナ８２４Ａ〜８２４Ｔから送信される。
【００６３】
デバイス８５０では、送信された変調信号はＮＲ個のアンテナ８５２Ａ〜８５２Ｒによって受信され、各アンテナ８５２からの受信信号はそれぞれのトランシーバ（「ＸＣＶＲ」）８５４Ａ〜８５４Ｒに供給される。各トランシーバ８５４はそれぞれの受信信号を調整し（例えばフィルタリングし、増幅し、そしてダウンコンバートし）、サンプルを与えるためにこの調整された信号をディジタル化し、対応する「受信された」シンボルストリームを与えるためにこれらのサンプルを更に処理する。
【００６４】
次に受信（「ＲＸ」）データプロセッサ８６０は、ＮＴ個の「検出された」シンボルストリームを与えるために、ある特定の受信機処理技法に基づいて、ＮＲ個のトランシーバ８５４からのＮＲ個の受信シンボルストリームを受信して処理する。それからＲＸデータプロセッサ８６０は、データストリームに関するトラヒックデータを復元するために各検出シンボルストリームを復調し、デインタリーブし、そして復号する。ＲＸデータプロセッサ８６０による処理は、デバイス８１０におけるＴＸ  ＭＩＭＯプロセッサ８２０とＴＸデータプロセッサ８１４とによって実行される処理に関して相補的である。
【００６５】
プロセッサ８７０は、どのプリコーディングマトリックスを使用すべきかを定期的に決定する（下記に論じられる）。プロセッサ８７０は、マトリックスインデックス部とランク値部とを備える逆方向リンクメッセージを形成する。データメモリ８７２は、プログラムコードと、データと、デバイス８５０のプロセッサ８７０または他のコンポーネントによって使用される他の情報と、を記憶できる。
【００６６】
逆方向リンクメッセージは、通信リンクおよび／または受信データストリームに関する種々のタイプの情報を備え得る。次に逆方向リンクメッセージは、データ源８３６からの複数のデータストリームに関するトラヒックデータも受信するＴＸデータプロセッサ８３８によって処理され、変調器８８０によって変調され、トランシーバ８５４Ａ〜８５４Ｒによって調整され、そしてデバイス８１０に返送される。
【００６７】
デバイス８１０では、デバイス８５０からの変調信号は、アンテナ８２４によって受信され、トランシーバ８２２によって調整され、復調器（「ＤＥＭＯＤ」）８４０によって復調され、そしてデバイス８５０によって送信された逆方向リンクメッセージを抽出するためにＲＸデータプロセッサ８４２によって処理される。次にプロセッサ８３０は、ビーム形成重みを決定するためにどのプリコーディングマトリックスを使用すべきかを決定し、抽出されたメッセージを処理する。
【００６８】
図８はまた、通信コンポーネントが本明細書で教示される識別子構成制御動作を実行する１つ以上のコンポーネントを含み得ることを示している。例えば識別子制御コンポーネント８９０は、１つのデバイス（例えば無線通信ネットワークにおいてアクセスポイントの管理と制御とを容易にするＯＡＭ）から構成情報を受信するために、ならびに／あるいは、このような情報を提供し、それから識別子を別のデバイス（例えばデバイス８５０）にブロードキャストするために、プロセッサ８３０および／またはデバイス８１０の他のコンポーネントと、協同動作できる。各デバイス８１０および８５０に関して、説明されたコンポーネントのうちの２つ以上のコンポーネントの機能性が単一のコンポーネントによって供給され得ることは理解されたい。例えば単一の処理コンポーネントは、識別子制御コンポーネント８９０およびプロセッサ８３０の機能性を供給することができる。
【００６９】
本明細書での教示は、種々のタイプの通信システムおよび／またはシステムコンポーネントに組み込まれ得る。ある幾つかの態様では本明細書での教示は、利用可能なシステムリソースを共用することによって（例えば帯域幅、送信電力、符号化、インタリービング、などのうちの１つ以上を指定することによって）複数のユーザとの通信をサポートできる多元接続システムに使用され得る。例えば本明細書での教示は、下記の技術：符号分割多元接続（「ＣＤＭＡ」）システム、マルチキャリアＣＤＭＡ（「ＭＣＣＤＭＡ」）、広帯域ＣＤＭＡ（「Ｗ−ＣＤＭＡ」）、高速パケットアクセス（「ＨＳＰＡ」、「ＨＳＰＡ＋」）システム、時分割多元接続（「ＴＤＭＡ」）システム、周波数分割多元接続（「ＦＤＭＡ」）システム、シングルキャリアＦＤＭＡ（「ＳＣ−ＦＤＭＡ」）システム、直交周波数分割多元接続（「ＯＦＤＭＡ」）システム、または他の多元接続技法のどれか１つ、または組合せに適用され得る。本明細書での教示を使用する無線通信システムは、ＩＳ−９５、ｃｄｍａ２０００、ＩＳ−８５６、Ｗ−ＣＤＭＡ、ＴＤＳＣＤＭＡ、および他の規格といった、１つ以上の規格を実施するようにデザインされ得る。ＣＤＭＡネットワークは、ユニバーサル地上無線アクセス（「ＵＴＲＡ」）、ｃｄｍａ２０００、または他の何らかの技術といった無線技術を実施し得る。ＵＴＲＡは、Ｗ−ＣＤＭＡとローチップレート（Low Chip Rate）（「ＬＣＲ」）とを含む。ｃｄｍａ２０００技術は、ＩＳ−２０００、ＩＳ−９５およびＩＳ−８５６規格をカバーする。ＴＤＭＡネットワークは、移動体通信用グローバルシステム（「ＧＳＭ（登録商標）」）といった無線技術を実施し得る。ＯＦＤＭＡネットワークは、Ｅｖｏｌｖｅｄ  ＵＴＲＡ（「Ｅ−ＵＴＲＡ」）、ＩＥＥＥ８０２．１１、ＩＥＥＥ８０２．１６、ＩＥＥＥ８０２．２０、Ｆｌａｓｈ−ＯＦＤＭ（登録商標）などといった無線技術を実施し得る。ＵＴＲＡ、Ｅ−ＵＴＲＡおよびＧＳＭは、ユニバーサル移動体電気通信システム（「ＵＭＴＳ」）の一部である。本明細書での教示は、３ＧＰＰ Ｌｏｎｇ  Ｔｅｒｍ  Ｅｖｏｌｕｔｉｏｎ（「ＬＴＥ」）システム、ウルトラ・モバイル・ブロードバンド（「ＵＭＢ」）システム、および他のタイプのシステムに実現され得る。ＬＴＥは、Ｅ−ＵＴＲＡを使用するＵＭＴＳのリリースである。本開示のある幾つかの態様は３ＧＰＰ用語を使用して説明され得るが、本明細書での教示が３ＧＰＰ（Ｒｅ１９９、Ｒｅ１５、Ｒｅ１６、Ｒｅ１７）技術、ならびに３ＧＰＰ２（ＩｘＲＴＴ、１ｘＥＶ−ＤＯ、Ｒｅ１Ｏ、ＲｅｖＡ、ＲｅｖＢ）技術および他の技術に適用され得ることは理解されたい。
【００７０】
ある幾つかの態様では本明細書での教示は、マクロスケールのカバレージ（例えば、典型的にはマクロセル・ネットワークまたはＷＡＮとも呼ばれる３Ｇネットワークといった大きいエリアのセルラーネットワーク）とより小さいスケールのカバレージ（例えば、典型的にはＬＡＮと呼ばれる住居ベースまたはビルディングベースのネットワーク環境）とを含むネットワークに使用され得る。アクセス端末（「ＡＴ」）はこのようなネットワークの至るところを移動するので、アクセス端末はマクロのカバレージを提供するアクセスポイントによって、ある幾つかの位置においてサービスされ得るが、アクセス端末はより小さなスケールのカバレージを提供するアクセスポイントによって他の位置でサービスされ得る。ある幾つかの態様では、より小さなカバレージノードは、インクリメンタルな容量増加、ビル内カバレージ、および異なるサービスを提供するために（例えば、よりロバストなユーザ体験のために）使用され得る。
【００７１】
比較的大きな領域上のカバレージを提供するノード（例えばアクセスポイント）はマクロノードと呼ばれ得るが、比較的小さな領域（例えば住居）上のカバレージを提供するノードはフェムトノードと呼ばれ得る。本明細書での教示が他のタイプのカバレージエリアに関連するノードに適用可能であることは理解されたい。例えばピコノードは、マクロエリアより小さくてフェムトエリアより大きい領域上のカバレージ（例えば商業ビルディング内のカバレージ）を提供できる。種々の用途で、マクロノード、フェムトノード、または他のアクセスポイントタイプのノードを参照するために他の用語が使用され得る。例えばマクロノードは、アクセスノード、基地局、アクセスポイント、ｅＮｏｄｅＢ、マクロセルなどとして構成され得る、または呼ばれ得る。またフェムトノードは、Ｈｏｍｅ ＮｏｄｅＢ、Ｈｏｍｅ ｅＮｏｄｅＢ、アクセスポイント基地局、フェムトセルなどとして構成され得る、または呼ばれ得る。ある幾つかの実現形態では、ノードは１つ以上のセルまたはセクタに関連付けられ（例えば分割され）得る。マクロノード、フェムトノードまたはピコノードに関連付けられたセルまたはセクタは、それぞれマクロセル、フェムトセルまたはピコセルと呼ばれ得る。
【００７２】
本明細書での教示は、種々の装置（例えばノード）内に組み込まれ得る（例えば、種々の装置内に実現され得る、または種々の装置によって実行され得る）。ある幾つかの態様では本明細書での教示にしたがって実現されたノード（例えば無線ノード）は、アクセスポイントまたはアクセス端末を備え得る。
【００７３】
例えばアクセス端末は、ユーザ装置、加入者局、加入者ユニット、移動局、移動体、移動ノード、遠隔局、遠隔端末、ユーザ端末、ユーザエージェント、ユーザデバイス、または他の何らかの用語、を備えることができ、これらとして実現され得る、あるいは、これらとして知られ得る。ある幾つかの実現形態ではアクセス端末は、携帯電話、コードレス電話、セッション開始プロトコル（「ＳＩＰ」）電話、無線ローカルループ（「ＷＬＬ」）局、パーソナル・ディジタル・アシスタント（「ＰＤＡ」）、無線接続機能を有するハンドヘルドデバイス、または無線モデムに接続される他の何らかの適当な処理デバイスを備え得る。したがって本明細書で教示される１つ以上の態様は、電話（例えば携帯電話またはスマートフォン）、コンピュータ（例えばラップトップ）、携帯型通信デバイス、携帯型コンピューティングデバイス（例えばパーソナル・ディジタル・アシスタント）、エンターテインメントデバイス（例えばミュージックデバイス、ビデオデバイス、または衛星ラジオ）、全地球測位システム（ＧＰＳ）デバイス、または無線媒体を介して通信するように構成された任意の他の適当なデバイスに組み込まれ得る。
【００７４】
アクセスポイントは、ＮｏｄｅＢ、ｅＮｏｄｅＢ、無線ネットワークコントローラ（「ＲＮＣ」）、基地局（「ＢＳ」）、無線基地局（「ＲＢＳ」）、基地局コントローラ（（「ＢＳＣ」）、基地トランシーバ局（「ＢＴＳ」）、トランシーバ機能（「ＴＦ」）、無線トランシーバ、無線ルータ、基本サービスセット（「ＢＳＳ」）、拡張サービスセット（「ＥＳＳ」）、マクロセル、マクロノード、Ｈｏｍｅ ｅＮＢ（「ＨｅＮＢ」）、フェムトセル、フェムトノード、ピコノード、または他の何らかの類似の用語、を備えることができ、これらとして実現され得る、あるいは、これらとして知られ得る。
【００７５】
ある幾つかの態様では、ノード（例えばアクセスポイント）は、通信システムのためのアクセスノードを備え得る。このようなアクセスノードは、例えばネットワーク（例えばインターネットまたはセルラーネットワークといったワイドエリアネットワーク）への有線または無線通信リンクを介してこのネットワークのための、またはこのネットワークへの接続性を提供し得る。したがってアクセスノードは、別のノード（例えばアクセス端末）がネットワークまたは他の何らかの機能性にアクセスすることを可能にし得る。更にこれらのノードの一方または両方が携帯型であり得る、またはある幾つかの場合には比較的に非携帯型であり得ることは理解されたい。
【００７６】
また無線ノードが非無線的な方法で（例えば有線接続を介して）情報を送信および／または受信できることは理解されたい。したがって本明細書で論じられたような受信機および送信機は、非無線媒体を介して通信するための適当な通信インタフェースコンポーネント（例えば電気的または光学的インタフェースコンポーネント）を含み得る。
【００７７】
無線ノードは、任意の適当な無線通信技術に基づく、またはそうでなければ無線通信技術をサポートする１つ以上の無線通信リンクを介して通信できる。例えばある幾つかの態様では、無線ノードはネットワークと結び付き得る。ある幾つかの態様では、ネットワークはローカルエリアネットワークまたはワイドエリアネットワークを備え得る。無線デバイスは、本明細書で論じられたもの（例えばＣＤＭＡ、ＴＤＭＡ、ＯＦＤＭ、ＯＦＤＭＡ、ＷｉＭＡＸ、Ｗｉ−Ｆｉなど）といった種々の無線通信技術、プロトコルまたは規格のうちの１つ以上をサポートできる、あるいはそうでなければ使用できる。同様に無線ノードは、種々の対応する変調方式または多重化方式の１つ以上をサポートできる、あるいはそうでなければ使用できる。したがって無線ノードは、上記または他の無線通信技術を使用して１つ以上の無線通信リンクを確立し、これを介して通信するための適当なコンポーネント（例えば無線インタフェース）を含み得る。例えば無線ノードは、無線媒体上での通信を容易にする種々のコンポーネント（例えば信号発生器および信号プロセッサ）を含み得る、関連する送信機および受信機コンポーネントを有する無線トランシーバを備え得る。
【００７８】
本明細書で説明された（例えば添付図の１つ以上に関して）機能性は、ある幾つかの態様では付属の請求項において同様に指定された「手段」の機能性に対応し得る。図９を参照すると、装置９００は、一連の相互に関連のある機能モジュールとして表されている。ここでアクセスポイントタイプ決定モジュール９０２は、少なくともある幾つかの態様において、例えば本明細書で論じられたようなアクセスポイントタイプ決定器に対応し得る。構成手順選択モジュール９０４は、少なくともある幾つかの態様において、例えば本明細書で論じられたような構成手順セレクタに対応し得る。アクセスポイント識別子構成モジュール９０６は、少なくともある幾つかの態様において、例えば本明細書で論じられたような識別子構成コントローラに対応し得る。識別子ドメイン分割モジュール９０８は、少なくともある幾つかの態様において、例えば本明細書で論じられたような識別子空間定義器に対応し得る。
【００７９】
図９のモジュールの機能性は、本明細書での教示と一致する種々の方法で実現され得る。ある幾つかの態様ではこれらのモジュールの機能性は、１つ以上の電気コンポーネントとして実現され得る。ある幾つかの態様ではこれらのブロックの機能性は、１つ以上のプロセッサコンポーネントを含む処理システムとして実現され得る。ある幾つかの態様ではこれらのモジュールの機能性は、例えば１つ以上の集積回路（例えばＡＳＩＣ）の少なくとも一部を使用して実現され得る。本明細書で論じられたように１つの集積回路は、プロセッサ、ソフトウエア、他の関連コンポーネント、またはこれらの何らかの組合せを含み得る。これらのモジュールの機能性はまた、本明細書で教示される他の何らかの方法で実現され得る。ある幾つかの態様では、図９の破線で囲まれたブロックの１つ以上は任意選択的である。
【００８０】
「第１の」、「第２の」などといった表示を使用する本明細書の要素への如何なる参照も一般にこれらの要素の数量または順序を限定しないことは理解されたい。むしろこれらの表示は、本明細書では２つ以上の要素間、または１つの要素の２つ以上の事例間を区別する便利な方法として使用され得る。したがって第１および第２の要素への参照は、２つだけの要素がここで使用され得ること、または第１の要素がある方法で、第２の要素に先行しなくてはならないことを意味しない。また他に記述されていなければ、１セットの要素は１つ以上の要素を備え得る。更に本説明または請求項で使用されている「Ａ、ＢまたはＣの少なくとも１つ」という形の用語は、「ＡまたはＢまたはＣまたはこれらの要素の任意の組合せ」を意味する。
【００８１】
当業者は、情報および信号が種々の異なる技術および技法の任意のものを使用して表され得ることを理解する。例えば、上記の説明全体を通して参照され得るデータ、命令、コマンド、情報、信号、ビット、シンボルおよびチップは、電圧、電流、電磁波、磁場または磁気粒子、光場または光粒子、またはこれらの任意の組合せによって表され得る。
【００８２】
当業者は更に、本明細書で開示された態様に関連して説明された種々の例示的論理ブロック、モジュール、プロセッサ、手段、回路、およびアルゴリズムステップの如何なるものも、電子ハードウエア（例えば、ソースコーディングまたは他の何らかの技法を使用してデザインされ得るディジタル実現形態、アナログ実現形態またはこれら２つの組合せ）、または命令を組み込んだ種々の形のプログラムまたはデザインコード（本明細書では便宜上「ソフトウエア」または「ソフトウエアモジュール」と呼ばれ得る）、またはこれら両者の組合せとして実現され得ることを理解する。ハードウエアおよびソフトウエアのこの互換性を明確に説明するために、種々の例示的コンポーネント、ブロック、モジュール、回路、およびステップは一般に、これらの機能性という観点から上記に説明されてきた。このような機能性がハードウエアまたはソフトウエアとして実現されるかどうかは、特定の用途とシステム全体に課されたデザイン的制約とに依存する。当業者は各特定の用途のために種々の方法で前述の機能性を実現し得るが、このような実現決定は本開示の範囲からの逸脱を引き起こすものと解釈されるべきではない。
【００８３】
本明細書に開示された態様に関連して説明された種々の例示的論理ブロック、モジュールおよび回路は、集積回路（「ＩＣ」）、アクセス端末、またはアクセスポイント内に実現され得る、またはこれらによって実行され得る。ＩＣは、汎用プロセッサ、ディジタル信号プロセッサ（ＤＳＰ）、特定用途向け集積回路（ＡＳＩＣ）、フィールドプログラマブル・ゲートアレイ（ＦＰＧＡ）または他のプログラマブル論理デバイス、個別ゲートまたはトランジスタ論理、個別ハードウエアコンポーネント、電気コンポーネント、光コンポーネント、機械コンポーネント、あるいは本明細書で説明された機能を実行するようにデザインされたこれらの任意の組合せを備えることが可能であり、またＩＣの内部またはＩＣの外部に、または内部と外部の両方に常駐するコードまたは命令を実行し得る。汎用プロセッサはマイクロプロセッサであり得るが、代替としてプロセッサは任意の従来のプロセッサ、コントローラ、マイクロコントローラまたは状態機械であり得る。プロセッサはまた、コンピューティングデバイスの組合せとして、例えばＤＳＰとマイクロプロセッサとの組合せ、または複数のマイクロプロセッサの組合せ、またはＤＳＰコアと連動した１つ以上のマイクロプロセッサの組合せ、または任意の他のこのような構成の組み合わせとしても実現され得る。
【００８４】
任意の開示されたプロセスにおけるステップの如何なる特定の順序または階層もサンプルアプローチの一例であることは理解される。デザインの好みに基づいて、これらのプロセスにおけるステップの特定の順序または階層が本開示の範囲内に留まりながら再整理され得ることは理解される。添付の方法クレームは、種々のステップの要素を例示的順序で提示しており、また提示された特定の順序または階層に限定されるようには意図されていない。
【００８５】
１つ以上の例示的実施形態では前述の機能は、ハードウエア、ソフトウエア、ファームウエア、またはこれらの任意の組合せにおいて実現され得る。ソフトウエアに実現された場合にこれらの機能は、コンピュータ可読媒体上での１つ以上の命令またはコードとして記憶され、あるいは送信され得る。コンピュータ可読媒体は、１つの場所から別の場所へのコンピュータプログラムの転送を容易にする如何なる媒体も含む、コンピュータ記憶媒体および通信媒体の両者を含む。記憶媒体は、コンピュータによってアクセスできる任意の利用可能な媒体であり得る。限定ではなく例として、このようなコンピュータ可読媒体は、ＲＡＭ、ＲＯＭ、ＥＥＰＲＯＭ、ＣＤ−ＲＯＭまたは他の光ディスク記憶装置、磁気ディスク記憶装置または他の磁気記憶デバイス、あるいは命令またはデータ構造体の形式で所望のプログラムコードを搬送または記憶するために使用され得る、そしてコンピュータによってアクセスできる他の任意の媒体を備え得る。また如何なる接続手段も適切にコンピュータ可読媒体と名付けられる。例えばもしソフトウエアが同軸ケーブル、光ファイバケーブル、対より線またはディジタル加入者線（ＤＳＬ）を使用して、あるいは赤外線、無線およびマイクロ波といった無線技術を使用して、ウェブサイト、サーバまたは他の遠隔情報源から送信されるならば、同軸ケーブル、光ファイバケーブル、対より線またはＤＳＬは、あるいは赤外線、無線およびマイクロ波といった無線技術は、媒体の定義に含まれる。本明細書で使用されるディスク（ｄｉｓｋ）およびディスク（ｄｉｓｃ）は、コンパクトディスク（ＣＤ）、レーザディスク（登録商標）、光ディスク、ディジタル多用途ディスク（ＤＶＤ）、フロッピー（登録商標）ディスク、およびブルーレイディスクを含むが、ここでディスク（ｄｉｓｋ）は通常、データを磁気的に再生するのに対してディスク（ｄｉｓｃ）はデータをレーザで光学的に再生する。上記のものの組合せもコンピュータ可読媒体の範囲内に含まれるべきである。コンピュータ可読媒体が如何なる適当なコンピュータプログラム製品にも実現され得ることは理解されたい。
【００８６】
開示された態様の前述の説明は、如何なる当業者でも本開示を実施または使用することを可能にするために提供されている。これらの態様に対する種々の修正は当業者には直ちに明らかであろうし、また本明細書で定義された一般原理は本開示の範囲から逸脱せずに他の態様に適用され得る。したがって本開示は、本明細書に示された態様に限定されるようには意図されておらず、本明細書に開示された原理と新規な特徴とに一致する最も広い範囲が与えられるべきである。
以下に、本願出願の当初の特許請求の範囲に記載された発明を付記する。
［Ｃ１］
アクセスポイントのタイプを決定することと、ここで前記タイプは前記アクセスポイントが移動アクセスポイントであるかどうかを示し、
前記決定されたタイプに基づいてアクセスポイント識別子構成手順を選択することと、
前記選択された手順に基づいて前記アクセスポイントに関するアクセスポイント識別子を構成することと、
を備える識別子管理方法。
［Ｃ２］
前記移動アクセスポイントは無線リンクを介してバックホール通信を送信および受信する、Ｃ１に記載の方法。
［Ｃ３］
前記構成することは前記選択された手順に基づいて前記アクセスポイントに関する前記アクセスポイント識別子を決定することを備える、Ｃ１に記載の方法。
［Ｃ４］
前記構成することは前記決定されたアクセスポイント識別子を前記アクセスポイントに送信することを更に備える、Ｃ３に記載の方法。
［Ｃ５］
アクセスポイント識別子ドメインが複数の識別子空間に分割され、
前記識別子空間の少なくとも１つは移動アクセスポイントのために割り当てられ、
前記識別子空間の少なくとも別の１つは静止アクセスポイントのために割り当てられ、
前記構成手順の選択は前記決定されたタイプに基づいて前記識別子空間の１つを識別することを備える、Ｃ１に記載の方法。
［Ｃ６］
前記識別子空間は相互に排他的である、Ｃ５に記載の方法。
［Ｃ７］
前記構成することは、
前記識別された識別子空間から前記アクセスポイントに関する前記アクセスポイント識別子を選択することと、
前記選択されたアクセスポイント識別子を用いて前記アクセスポイントを構成することと、
を備える、Ｃ５に記載の方法。
［Ｃ８］
前記移動アクセスポイントと前記静止アクセスポイントとの間のアクセスポイント識別子衝突を軽減するために、前記アクセスポイント識別子ドメインを前記複数の識別子空間に分割することを更に備える、Ｃ５に記載の方法。
［Ｃ９］
前記構成手順の選択は前記決定されたタイプに基づいて前記アクセスポイントに関する前記アクセスポイント識別子を構成するためのタイミングを決定することを備える、Ｃ１に記載の方法。
［Ｃ１０］
前記構成することは前記決定されたタイミングに基づく時刻に前記アクセスポイント識別子を用いて前記アクセスポイントを構成することを備える、Ｃ９に記載の方法。
［Ｃ１１］
前記構成手順の選択は前記決定されたタイプに基づいて前記アクセスポイントに関する前記アクセスポイント識別子を生成するためのアルゴリズムを選択することを備える、Ｃ１に記載の方法。
［Ｃ１２］
前記アルゴリズムはハッシュアルゴリズムを備える、Ｃ１１に記載の方法。
［Ｃ１３］
前記構成することは、
前記選択されたアルゴリズムを使用して前記アクセスポイントに関する前記アクセスポイント識別子を生成することと、
前記生成されたアクセスポイント識別子を用いて前記アクセスポイントを構成することと
を備える、Ｃ１１に記載の方法。
［Ｃ１４］
前記アクセスポイントに関する前記アクセスポイント識別子は物理セル識別子を備える、Ｃ１に記載の方法。
［Ｃ１５］
前記方法はネットワーク管理ノードによって実行される、Ｃ１に記載の方法。
［Ｃ１６］
前記方法は前記アクセスポイントによって実行される、Ｃ１に記載の方法。
［Ｃ１７］
アクセスポイントのタイプを決定するように構成されたアクセスポイントタイプ決定器と、ここで前記タイプは前記アクセスポイントが移動アクセスポイントであるかどうかを示し、
前記決定されたタイプに基づいてアクセスポイント識別子構成手順を選択するように構成された構成手順セレクタと、
前記選択された手順に基づいて前記アクセスポイントに関するアクセスポイント識別子を構成するように構成された識別子構成コントローラと、
を備える識別子管理装置。
［Ｃ１８］
前記移動アクセスポイントは無線リンクを介してバックホール通信を送信および受信する、Ｃ１７に記載の装置。
［Ｃ１９］
前記構成することは前記選択された手順に基づいて前記アクセスポイントに関する前記アクセスポイント識別子を決定することを備える、Ｃ１７に記載の装置。
［Ｃ２０］
前記構成することは前記決定されたアクセスポイント識別子を前記アクセスポイントに送信することを更に備える、Ｃ１９に記載の装置。
［Ｃ２１］
アクセスポイント識別子ドメインが複数の識別子空間に分割され、
前記識別子空間の少なくとも１つは移動アクセスポイントのために割り当てられ、
前記識別子空間の少なくとも別の１つは静止アクセスポイントのために割り当てられ、
前記構成手順の選択は前記決定されたタイプに基づいて前記識別子空間の１つを識別することを備える、Ｃ１７に記載の装置。
［Ｃ２２］
前記識別子空間は相互に排他的である、Ｃ２１に記載の装置。
［Ｃ２３］
前記構成することは、
前記識別された識別子空間から前記アクセスポイントに関する前記アクセスポイント識別子を選択することと、
前記選択されたアクセスポイント識別子を用いて前記アクセスポイントを構成することと、を備える、Ｃ２１に記載の装置。
［Ｃ２４］
前記移動アクセスポイントと前記静止アクセスポイントとの間のアクセスポイント識別子衝突を軽減するために、前記アクセスポイント識別子ドメインを前記複数の識別子空間に分割するように構成された識別子空間定義器を更に備える、Ｃ２１に記載の装置。
［Ｃ２５］
前記構成手順の選択は前記決定されたタイプに基づいて前記アクセスポイントに関する前記アクセスポイント識別子を構成するためのタイミングを決定することを備える、Ｃ１７に記載の装置。
［Ｃ２６］
前記構成することは前記決定されたタイミングに基づく時刻に前記アクセスポイント識別子を用いて前記アクセスポイントを構成することを備える、Ｃ２５に記載の装置。
［Ｃ２７］
前記構成手順の選択は前記決定されたタイプに基づいて前記アクセスポイントに関する前記アクセスポイント識別子を生成するためのアルゴリズムを選択することを備える、Ｃ１７に記載の装置。
［Ｃ２８］
前記構成することは、
前記選択されたアルゴリズムを使用して前記アクセスポイントに関する前記アクセスポイント識別子を生成することと、
前記生成されたアクセスポイント識別子を用いて前記アクセスポイントを構成することと、
を備える、Ｃ２７に記載の装置。
［Ｃ２９］
アクセスポイントのタイプを決定するための手段と、ここで前記タイプは前記アクセスポイントが移動アクセスポイントであるかどうかを示し、
前記決定されたタイプに基づいてアクセスポイント識別子構成手順を選択するための手段と、
前記選択された手順に基づいて前記アクセスポイントに関するアクセスポイント識別子を構成するための手段と、
を備える識別子管理装置。
［Ｃ３０］
前記移動アクセスポイントは無線リンクを介してバックホール通信を送信および受信する、Ｃ２９に記載の装置。
［Ｃ３１］
前記構成することは前記選択された手順に基づいて前記アクセスポイントに関する前記アクセスポイント識別子を決定することを備える、Ｃ２９に記載の装置。
［Ｃ３２］
前記構成することは前記決定されたアクセスポイント識別子を前記アクセスポイントに送信することを更に備える、Ｃ３１に記載の装置。
［Ｃ３３］
アクセスポイント識別子ドメインが複数の識別子空間に分割され、
前記識別子空間の少なくとも１つは移動アクセスポイントのために割り当てられ、
前記識別子空間の少なくとも別の１つは静止アクセスポイントのために割り当てられ、
前記構成手順の選択は前記決定されたタイプに基づいて前記識別子空間の１つを識別することを備える、Ｃ２９に記載の装置。
［Ｃ３４］
前記識別子空間は相互に排他的である、Ｃ３３に記載の装置。
［Ｃ３５］
前記構成することは、
前記識別された識別子空間から前記アクセスポイントに関する前記アクセスポイント識別子を選択することと、
前記選択されたアクセスポイント識別子を用いて前記アクセスポイントを構成することと、
を備える、Ｃ３３に記載の装置。
［Ｃ３６］
前記移動アクセスポイントと前記静止アクセスポイントとの間のアクセスポイント識別子衝突を軽減するために、前記アクセスポイント識別子ドメインを前記複数の識別子空間に分割するための手段を更に備える、Ｃ３３に記載の装置。
［Ｃ３７］
前記構成手順の選択は前記決定されたタイプに基づいて前記アクセスポイントに関する前記アクセスポイント識別子を構成するためのタイミングを決定することを備える、Ｃ２９に記載の装置。
［Ｃ３８］
前記構成することは前記決定されたタイミング基づく時刻に前記アクセスポイント識別子を用いて前記アクセスポイントを構成することを備える、Ｃ３７に記載の装置。
［Ｃ３９］
前記構成手順の選択は前記決定されたタイプに基づいて前記アクセスポイントに関する前記アクセスポイント識別子を生成するためのアルゴリズムを選択することを備える、Ｃ２９に記載の装置。
［Ｃ４０］
前記構成することは、
前記選択されたアルゴリズムを使用して前記アクセスポイントに関する前記アクセスポイント識別子を生成することと、
前記生成されたアクセスポイント識別子を用いて前記アクセスポイントを構成することと、
を備える、Ｃ３９に記載の装置。
［Ｃ４１］
アクセスポイントのタイプを決定することと、ここで前記タイプは前記アクセスポイントが移動アクセスポイントであるかどうかを示し、
前記決定されたタイプに基づいてアクセスポイント識別子構成手順を選択することと、
前記選択された手順に基づいて前記アクセスポイントに関するアクセスポイント識別子を構成することと、をコンピュータに実行させるためのコードを備えるコンピュータ可読媒体を備えるコンピュータプログラム製品。
［Ｃ４２］
前記移動アクセスポイントは無線リンクを介してバックホール通信を送信および受信する、Ｃ４１に記載のコンピュータプログラム製品。
［Ｃ４３］
アクセスポイント識別子ドメインが複数の識別子空間に分割され、
前記識別子空間の少なくとも１つは移動アクセスポイントのために割り当てられ、
前記識別子空間の少なくとも別の１つは静止アクセスポイントのために割り当てられ、
前記構成手順の選択は前記決定されたタイプに基づいて前記識別子空間の１つを識別することを備える、Ｃ４１に記載のコンピュータプログラム製品。
［Ｃ４４］
前記識別子空間は相互に排他的である、Ｃ４３に記載のコンピュータプログラム製品。
［Ｃ４５］
前記構成することは、
前記識別された識別子空間から前記アクセスポイントに関する前記アクセスポイント識別子を選択することと、
前記選択されたアクセスポイント識別子を用いて前記アクセスポイントを構成することと、
を備える、Ｃ４３に記載のコンピュータプログラム製品。
［Ｃ４６］
前記コンピュータ可読媒体は、
前記移動アクセスポイントと前記静止アクセスポイントとの間のアクセスポイント識別子衝突を軽減するために、前記アクセスポイント識別子ドメインを前記複数の識別子空間に分割することをコンピュータに実行させるためのコードを更に備える、Ｃ４３に記載のコンピュータプログラム製品。
［Ｃ４７］
前記構成手順の選択は前記決定されたタイプに基づいて前記アクセスポイントに関する前記アクセスポイント識別子を構成するためのタイミングを決定することを備える、Ｃ４１に記載のコンピュータプログラム製品。
［Ｃ４８］
前記構成することは前記決定されたタイミングに基づく時刻に前記アクセスポイント識別子を用いて前記アクセスポイントを構成することを備える、Ｃ４７に記載のコンピュータプログラム製品。
［Ｃ４９］
前記構成手順の選択は前記決定されたタイプに基づいて前記アクセスポイントに関する前記アクセスポイント識別子を生成するためのアルゴリズムを選択することを備える、Ｃ４１に記載のコンピュータプログラム製品。
［Ｃ５０］
前記構成することは、
前記選択されたアルゴリズムを使用して前記アクセスポイントに関する前記アクセスポイント識別子を生成することと、
前記生成されたアクセスポイント識別子を用いて前記アクセスポイントを構成することと、
を備える、Ｃ４９に記載のコンピュータプログラム製品。
【図１】
0005684121.tif 000002
【図２】
0005684121.tif 000003
【図３】
0005684121.tif 000004
【図４】
0005684121.tif 000005
【図５】
0005684121.tif 000006
【図６】
0005684121.tif 000007
【図７】
0005684121.tif 000008
【図８】
0005684121.tif 000009
【図９】
0005684121.tif 000010